(57)【要約】【課題】衛生的で、洗浄の手間がなく、資源の浪費が抑制され、携帯性に優れ、しかも使い勝手がよい箸２の提供。【解決手段】箸２は、箸先４と柄６とからなる。柄６は、内筒８と外筒１０とからなる。箸先４は、凹部１４を備えている。内筒８は、主部１６と前端部１８とからなる。前端部１８は、フランジ２０を備えている。前端部１８はさらに、２つのスリット２２を備えている。これらのスリット２２により、前端部１８が分割されている。この分割により、２つの挟持片２４が形成されている。外筒１０は、主部２８と前端部３０とからなる。外筒１０の主部２８の内径は、内筒８の主部１６の外径よりも若干大きい。外筒１０の前端部３０の内周面には、雌ネジが螺刻されている。【選択図】図２
2009125520.tif 000002
【特許請求の範囲】
【請求項１】
箸先と柄とを備えており、
上記柄が、箸先が挿入されうる内筒と、この内筒が挿入されうる外筒とを備えており、
上記内筒が、その前端近傍に、軸方向に延びるスリットを有しており、
上記内筒の前端近傍の外周面に、雄ネジが螺刻されており、
上記外筒の前端近傍の内周面に、雌ネジが螺刻されており、
上記雄ネジと雌ネジとの螺合により、外筒が内筒に固定され、かつ内筒の先端が縮径してこの内筒が箸先を挟持する箸。
【請求項２】
箸先が挿入されうる内筒と、この内筒が挿入されうる外筒とを備えており、
上記内筒が、その前端近傍に、軸方向に延びるスリットを有しており、
上記内筒の前端近傍の外周面に、雄ネジが螺刻されており、
上記外筒の前端近傍の内周面に、雌ネジが螺刻されており、
上記雄ネジと雌ネジとの螺合により、外筒が内筒に固定され、かつ内筒の先端が縮径してこの内筒が箸先を挟持する箸の柄。  
【請求項３】
長尺であり、長手方向中央に折り目が形成されており、この折り目にて分割されることによって２本の箸先が形成されうる折り箸。
【発明の詳細な説明】
【技術分野】
【０００１】
本発明は、食事に使用される箸に関する。
【背景技術】
【０００２】
食堂、一般家庭等で、割り箸が用いられている。割り箸は、２本の箸が部分的に一体化されたものである。使用者は、割り箸を割って２本の箸とし、これを用いて食事をする。使用後の箸は、通常は廃棄される。割り箸が用いられることで、箸の洗浄の手間とコストとが削減される。使用者は常に新品の箸で食事をすることができるので、衛生的である。不特定多数の人が食事をする食堂において、割り箸は好んで用いられている。
【０００３】
割り箸は、木材又は竹材からなる。割り箸の多用は、森林資源の浪費を招来する。森林の過剰な伐採は、地球環境に悪影響を与える。
【０００４】
外食に出かけるとき、自分用の箸を持ち歩く者がいる。この箸は、「マイ箸」と呼ばれている。箸は長尺なので、携帯には不便である。箸を持ち歩く場合、衛生の観点から、食後に洗浄されることが好ましいが、この洗浄は手間である。食事の場所に洗浄する設備（流し台等）がないことも多い。
【０００５】
実用新案登録第３０９４５４１号公報には、ホルダー、木材からなる本体及びリングを備えた箸が開示されている。この箸では、本体がホルダーに装着された状態で、使用される。使用後にホルダーから本体がはずされ、この本体が廃棄される。本体のホルダーへの着脱は、リングのスライドによって達成される。この箸では、廃棄される部材が短いので、森林資源の浪費が抑制される。この箸では、本体は使い捨てされるので、衛生的であり、洗浄の必要もない。この箸は、ホルダーと本体とが分離された状態で携帯されうるので、嵩張らない。
【特許文献１】実用新案登録第３０９４５４１号公報
【発明の開示】
【発明が解決しようとする課題】
【０００６】
実用新案登録第３０９４５４１号公報に開示された箸では、リングのスライドに力を要する。特に、使用中に水分を含んで膨張した本体をホルダーから取り外すとき、リングのスライドは困難である。この箸は、使い勝手が悪い。
【０００７】
本発明の目的は、衛生的で、洗浄の手間がなく、資源の浪費が抑制され、携帯性に優れ、しかも使い勝手がよい箸の提供にある。
【課題を解決するための手段】
【０００８】
本発明に係る箸は、箸先と柄とを備える。この柄は、箸先が挿入されうる内筒と、この内筒が挿入されうる外筒とを備える。この内筒は、その前端近傍に、軸方向に延びるスリットを有する。この内筒の前端近傍の外周面に、雄ネジが螺刻されている。外筒の前端近傍の内周面には、雌ネジが螺刻されている。この雄ネジと雌ネジとの螺合により、外筒が内筒に固定され、かつ内筒の先端が縮径してこの内筒が箸先を挟持する。
【０００９】
本発明に係る箸の柄は、箸先が挿入されうる内筒と、この内筒が挿入されうる外筒とを備える。この内筒は、その前端近傍に、軸方向に延びるスリットを有する。この内筒の前端近傍の外周面に、雄ネジが螺刻されている。外筒の前端近傍の内周面には、雌ネジが螺刻されている。この雄ネジと雌ネジとの螺合により、外筒が内筒に固定され、かつ内筒の先端が縮径してこの内筒が箸先を挟持する。
【００１０】
本発明に係る折り箸は、長尺である。この折り箸には、その長手方向中央に折り目が形成されている。この折り目にて折り箸が分割されることにより、２本の箸先が形成されうる。
【発明の効果】
【００１１】
本発明では、箸の使用後に箸先が柄から取り外され、廃棄される。従って、衛生的であり、かつ箸の洗浄が不要である。柄は継続的に使用されるので、資源の浪費が抑制される。この箸は、箸先と柄とが分離された状態で持ち運びされうる。箸先が食堂に常備されている場合、使用者が柄のみを持ち運びすることも可能である。この箸は、携帯性に優れる。この箸では、箸先の柄への着脱が、ネジの回転で達成される。この着脱には大きな力は不要であり、使用中に箸先が水分を含んで膨張しても、柄から容易に取り外されうる。この箸は、使い勝手がよい。
【発明を実施するための最良の形態】
【００１２】
以下、適宜図面が参照されつつ、好ましい実施形態に基づいて本発明が詳細に説明される。
【００１３】
図１は、本発明の一実施形態に係る箸２が示された斜視図である。図２は、図１の箸２が示された分解図である。図３は、図１の箸２の一部が示された、軸方向に沿った拡大断面図である。図４は、図３のIV−IV線に沿った断面図である。この箸２は、箸先４と柄６とからなる。柄６は、内筒８と外筒１０とからなる。
【００１４】
箸先４は、木材からなる。後述されるように箸先４は使い捨てされるものなので、安価な木材が好ましい。箸先４に廃材が用いられてもよい。箸先４に竹材が用いられてもよい。箸先４の断面形状は略矩形であるが、面取りがなされている。図２に示されているように、箸先４の２つの側面１２には、それぞれ凹部１４が形成されている。凹部１４は溝状であり、図２における紙面垂直方向に延在している。
【００１５】
内筒８は、金属又は硬質合成樹脂からなる。内筒８は、主部１６と前端部１８とからなる。前端部１８は、フランジ２０を備えている。前端部１８はさらに、スリット２２を備えている。図２から明らかなように、スリット２２は軸方向に延在しており、前端２４にまで至っている。スリット２２は、前端２４に向かって幅広がりである。図４に示されるように、スリット２２の数は２である。これらのスリット２２により、前端部１８が分割されている。この分割により、２つの挟持片２４が形成されている。それぞれの挟持片２４の内周面の断面は、円弧状である。図２に示されるように、前端部１８の外周面には雄ネジが螺刻されている。図３に示されるように、前端部１８の内周面には、凸条２６が形成されている。凸条２６は、環状である。
【００１６】
外筒１０は、金属又は硬質合成樹脂からなる。外筒１０は、主部２８と前端部３０とからなる。外筒１０の主部２８の内径は、内筒８の主部１６の外径よりも若干大きい。従って、内筒８の主部１６は外筒１０の主部２８に挿入されうる。図３に示されるように、外筒１０の前端部３０の内周面には、雌ネジが螺刻されている。
【００１７】
図５は、本発明の一実施形態に係る折り箸３２が示された斜視図である。折り箸３２は、長尺である。この折り箸３２の長さは、従来の割り箸と同程度である。折り箸３２は、折り目３４と凹部１４とを備えている。折り目３４は、折り箸３２の長手方向ほぼ中央に位置している。折り目３４は溝状であり、折り箸３２の幅方向に延在している。この折り箸３２は、木材等からなる。折り箸３２は、折り目３４において容易に分割されうる。分割により、２つの箸先４が形成される。換言すれば、折り箸３２は、２つの箸先４が一体化されたものである。
【００１８】
この箸２の使用者は、内筒８に対して外筒１０を逆回転させ、雄ネジと雌ネジとの螺合を解除する。解除により、内筒８の前端部１８は外筒１０から露出する。内筒８の主部１６は、外筒１０に挿入されたままである。この状態では、内筒８の前端部１８は外筒１０の拘束を受けない。従って、２つの挟持片２４は、互いの間隔が広がるように弾性変形しうる。換言すれば、この前端部１８は拡径しうる。使用者は、折り箸３２を折り目３４で分割して箸先４を作成する。使用者は、前端部１８が拡径した状態で、この前端部１８に箸先４を挿入する。挿入は、凹部１４と凸条２６とが嵌り合うまでなされる。
【００１９】
使用者は、内筒８に対して外筒１０を正回転させる。正回転は、外筒１０がフランジ２０に当接するまで継続される。正回転により、雄ネジと雌ネジとが螺合し、外筒１０が内筒８に固定される。正回転の進行により、内筒８の前端部１８が徐々に外筒１０に収容される。収容により、前端部１８は外筒１０からの力を受ける。２つの挟持片２４は、互いの間隔が狭まるように弾性変形する。換言すれば、この前端部１８が縮径する。縮径により前端部１８が箸先４を押圧する。この押圧により、内筒８が箸先４を挟持する。箸先４は、内筒８から容易には抜けない。
【００２０】
使用者は、この箸２を用いて食事を行う。食事の後に使用者は、内筒８に対して外筒１０を逆回転させる。逆回転により、前端部１８の箸先４への押圧が解除される。箸先４は、柄６から脱落する。この箸先４は、廃棄される。
【００２１】
本発明に係る箸２では、使用後に箸先４が廃棄されるので、衛生的である。しかも、箸先４の洗浄の手間がない。廃棄されるのは箸先４のみであり、柄６は継続的に使用されうる。従来の割り箸に比べ、廃棄される木材の量は１／３以下である。この箸２では、従来の割り箸に比べて、使用される森林資源の量が少ない。この箸２は、地球環境に優しい。
【００２２】
この箸２は、箸先４と柄６とが分離された状態で持ち運びされうるので、持ち運び時にかさばらない。この箸２は、携帯性に優れる。箸先４が食堂に常備されている場合、使用者が柄６のみを持ち運びすることも可能である。食堂に折り箸３２が常備される場合、使用者はこの折り箸３２を折って箸先４を作る。折り箸３２が折られていないことは、この折り箸３２が未使用であることの証である。使用者は、安心して折り箸３２を用いることができる。予め折り箸３２が折られて箸先４が形成され、使用者がこの箸先４を携帯してもよい。
【００２３】
この箸２では、箸先４の柄６への着脱が、ネジの回転で達成される。この着脱には大きな力は不要である。この箸２は、使い勝手がよい。
【図面の簡単な説明】
【００２４】
【図１】図１は、本発明の一実施形態に係る箸が示された斜視図である。
【図２】図２は、図１の箸が示された分解図である。
【図３】図３は、図１の箸の一部が示された、軸方向に沿った拡大断面図である。
【図４】図４は、図３のIV−IV線に沿った断面図である。
【図５】図５は、本発明の一実施形態に係る折り箸が示された斜視図である。
【符号の説明】
【００２５】
２・・・箸
４・・・箸先
６・・・柄
８・・・内筒
１０・・・外筒
１４・・・凹部
１６・・・主部
１８・・・前端部
２０・・・フランジ
２２・・・スリット
２６・・・凸条
３２・・・折り箸
３４・・・折り目
【図１】
2009125520.tif 000003
【図２】
2009125520.tif 000004
【図３】
2009125520.tif 000005
【図４】
2009125520.tif 000006
【図５】
2009125520.tif 000007